(57)【要約】      （修正有）【課題】光学系を構成している波長板を精度よくハウジングに実装する。【解決手段】レーザー光をその偏光方向に応じて透過又は反射するビームスプリッタ３４と、レーザー光が入射する平凸のコリメートレンズ３６と、レーザー光を情報記録媒体の記録層に収束させる対物レンズと、ビームスプリッタ３４と対物レンズとを結ぶ光路上に配置され、レーザー光の偏向方向を変化させる波長板３５と、コリメートレンズ３６及び波長板３５が実装されるハウジングと、を備える光ピックアップ装置において、波長板３５を、コリメートレンズ３６の平面側に重ね合わせてその周囲を接着剤でポッティングすることによりコリメートレンズ３６に接合するようにする。【選択図】図１
2011034643.tif 000002
【特許請求の範囲】
【請求項１】
レーザー光をその偏光方向に応じて透過又は反射するビームスプリッタと、
前記レーザー光が入射する平凸のコリメートレンズと、
前記レーザー光を情報記録媒体の記録層に収束させる対物レンズと、
前記ビームスプリッタと前記対物レンズとを結ぶ光路上に配置され、前記レーザー光の偏向方向を変化させる波長板と、
前記コリメートレンズ及び前記波長板が実装されるハウジングと
を備える光ピックアップ装置であって、
前記波長板は、前記コリメートレンズの平面側に重ね合わせてその周囲を接着剤でポッティングすることにより前記コリメートレンズに接合されている
ことを特徴とする光ピックアップ装置。
【請求項２】
請求項１に記載の光ピックアップ装置であって、
前記波長板は周囲に角部を有する薄板状であり、
前記コリメートレンズは、その前記平面側の周縁に前記接着剤が保持される接着剤溜まりが形成されており、
前記波長板は、前記角部が前記接着剤溜まりの一部にかかるように接合されている
ことを特徴とする光ピックアップ装置。
【請求項３】
請求項２に記載の光ピックアップ装置であって、
前記接着剤溜まりは前記コリメートレンズの前記平面側に開口している
ことを特徴とする光ピックアップ装置。
【請求項４】
請求項２に記載の光ピックアップ装置であって、
前記コリメートレンズは、その周縁に前記平面側に立設するフランジを有し、
前記接着剤溜まりの少なくとも一部が前記フランジにかかるように形成されている
ことを特徴とする光ピックアップ装置。
【請求項５】
請求項１に記載の光ピックアップ装置であって、
前記接着剤の粘度が１２，０００±３，０００（ｍｐａ・ｓ）である
ことを特徴とする光ピックアップ装置。
【請求項６】
請求項１に記載の光ピックアップ装置であって、
前記波長板は１／４波長板又は１／２波長板である
ことを特徴とする光ピックアップ装置。
【請求項７】
請求項１に記載の光ピックアップ装置に用いる前記コリメートレンズであって、
前記波長板が、前前記コリメートレンズの平面側に重ね合わせてその周囲を接着剤でポッティングすることにより接合されてなる
ことを特徴とするコリメートレンズ。
【請求項８】
レーザー光をその偏光方向に応じて透過又は反射するビームスプリッタと、
前記レーザー光が入射する平凸のコリメートレンズと、
前記レーザー光を情報記録媒体の記録層に収束させる対物レンズと、
前記ビームスプリッタと前記対物レンズとを結ぶ光路上に配置され、前記レーザー光の偏向方向を変化させる波長板と、
前記コリメートレンズ及び前記波長板が実装されるハウジングと
を備える光ピックアップ装置の製造方法であって、
前記波長板を前記コリメートレンズの平面に重ね合わせるステップと、
前記波長板を、前記コリメートレンズの周囲を接着剤でポッティングすることにより前記コリメートレンズに接合するステップと、
前記波長板が接合された前記コリメートレンズを前記ハウジングの所定位置に固定するステップと
を含むことを特徴とする光ピックアップ装置の製造方法。
【発明の詳細な説明】
【技術分野】
【０００１】
本発明は、光ピックアップ装置、及び光ピックアップ装置の製造方法に関し、特に光ピックアップ装置の構成要素である波長板をハウジングに精度よく実装する技術に関する。
【背景技術】
【０００２】
特許文献１には、コリメートレンズに隣接して配置される１／４波長板（以下、波長板と略記する。）を備える光ピックアップ装置が開示されている。上記波長板としては、薄肉（ＤＶＤ，ＣＤ用の場合は７５〜９０μｍ）かつ低コストであるという利点から、フィルムタイプのものが多く採用されている。
【先行技術文献】
【特許文献】
【０００３】
【特許文献１】特開２００８−１２３６０５号公報
【発明の概要】
【発明が解決しようとする課題】
【０００４】
上記波長板の光ピックアップ装置への実装は、例えば図８に示すように、光ピックアップ装置１の光学系のハウジング５０の所定位置に設けられた取り付け部５１に接着剤８１を塗布してその上に波長板３５を落着させることにより行う。
【０００５】
ここで上記実装方法においては、作業性を確保しつつ、精度よく波長板３５をハウジング５０に実装する必要がある。しかし作業性を確保すべく接着剤８１として高粘度のものを選択した場合には、接着剤８１の厚みや接着剤８１が波長板３５に及ぼす応力などにより波長板３５に歪みが生じやすく非点収差が発生するなどして光ピックアップ装置１の光学系の構成に影響が生じる。一方、波長板３５に歪み等が生じないよう、接着剤８１として低粘度のものを選択した場合には、作業時に接着剤が流出しやすく、作業性の低下を避けられない。
【０００６】
本発明はこのような課題に鑑みてなされたもので、作業性を確保しつつ、コリメートレンズに隣接して設けられる波長板を精度よくハウジングに実装することが可能な光ピックアップ装置、及び光ピックアップ装置の製造方法を提供することを目的とする。
【課題を解決するための手段】
【０００７】
上記目的を達成するための本発明の一つは、
レーザー光をその偏光方向に応じて透過又は反射するビームスプリッタと、
前記レーザー光が入射する平凸のコリメートレンズと、
前記レーザー光を情報記録媒体の記録層に収束させる対物レンズと、
前記ビームスプリッタと前記対物レンズとを結ぶ光路上に配置され、前記レーザー光の偏向方向を変化させる波長板と、
前記コリメートレンズ及び前記波長板が実装されるハウジングと
を備える光ピックアップ装置であって、
前記波長板は、前記コリメートレンズの平面側に重ね合わせてその周囲を接着剤でポッティングすることにより前記コリメートレンズに接合されていることとする。
【０００８】
このように、波長板を接着剤でポッティングすることによりコリメートレンズに接合しているので、波長板に歪みが生じて非点収差が発生するようなことがなく、波長板を精度よくハウジングに実装することができる。
【０００９】
また波長板がコリメートレンズの平面側に重ね合わせてその周囲を接着剤でポッティングすることによりコリメートレンズに接合されている。このため、コリメートレンズをハウジングの所定位置に設けることにより、同時に波長板をハウジングに設けることができる。このため、光ピックアップ装置の製造工程を簡素化することができる。
【００１０】
また波長板は、レーザー光の拡がりの少ないコリメートレンズの平面側に接合するようにしているので、波長板として面積の小さなものを選択することができ、製造コストを下げることができる。
【００１１】
本発明の他の一つは、上記光ピックアップ装置であって、
前記波長板は周囲に角部を有する薄板状であり、
前記コリメートレンズは、その前記平面側の周縁に前記接着剤が保持される接着剤溜まりが形成されており、
前記波長板は、前記角部が前記接着剤溜まりの一部にかかるように接合されていることとする。
【００１２】
本発明のピックアップ装置においては、コリメートレンズの平面側の周縁に接着剤が保持される接着剤溜まりを形成し、波長板をその角部が接着剤溜まりの一部にかかるようにしてコリメートレンズに接合するようにしている。このように接着剤が保持される接着剤溜まりを設けているので、波長板の接合時に接着剤が流出しにくく、粘性が低く流動性の高い接着剤を用いたとしても作業性が低下することはない。
【００１３】
本発明の他の一つは、上記光ピックアップ装置であって、
前記接着剤溜まりは前記コリメートレンズの前記平面側に開口していることとする。
【００１４】
このように、接着剤溜まりはコリメートレンズの平面側に開口しているので、波長板をコリメートレンズに接合する際、波長板をコリメートレンズの平面側に容易に重ね合わせることができる。このため、光ピックアップ装置の製造効率を向上させることができる。
【００１５】
本発明の他の一つは、上記光ピックアップ装置であって、
前記コリメートレンズは、その周縁に前記平面側に立設するフランジを有し、
前記接着剤溜まりの少なくとも一部が前記フランジにかかるように形成されていることとする。
【００１６】
このような形状のフランジを利用することで、コリメートレンズの光学系に影響を与えることなく容易に接着剤溜まりを設けることができる。
【００１７】
本発明の他の一つは、上記光ピックアップ装置であって、
前記接着剤の粘度が１２，０００±３，０００（ｍｐａ・ｓ）であることとする。
【００１８】
接着剤としては、例えばこのような中粘度の接着剤を選択することができる。このため、作業性を確保しつつ、精度よく波長板をコリメートレンズに接合することができる。
【００１９】
その他、本願が開示する課題、及びその解決方法は、発明を実施するための形態の欄、及び図面により明らかにされる。
【発明の効果】
【００２０】
本発明によれば、作業性を確保しつつ、波長板を精度よくハウジングに実装することができる。
【図面の簡単な説明】
【００２１】
【図１】光ピックアップ装置１の光学系の構成を示す図である。
【図２】光ピックアップ装置１の第１光学系の構成を説明する図である。
【図３】光ピックアップ装置１の第２光学系の構成を説明する図である。
【図４】ハウジング５０とこれに実装された光学系の様子を示す斜視図である。
【図５】光ディスク装置５００の一例を示すブロック図である。
【図６】第１対物レンズ１８及び第２対物レンズ３８周辺の構造を示す斜視図である。
【図７Ａ】第２コリメートレンズ３６及びこれに接合された第３の１／４波長板３５の構成を示す図である。
【図７Ｂ】第２コリメートレンズ３６及びこれに接合された第３の１／４波長板３５の構成を示す図である。
【図７Ｃ】第３の１／４波長板３５が第２コリメートレンズ３６に接合された様子を示す図である。
【図８】１／４波長板３５のハウジング５０への実装方法を説明する図である。
【発明を実施するための最良の形態】
【００２２】
以下、発明を実施するための最良の形態について説明する。本実施形態で説明する光ピックアップ装置１は、回転する情報記録媒体５に光束を照射し、情報記録媒体５から反射される光束を検出する装置である。光ピックアップ装置１は、例えば後述する光ディスク装置５００などの情報記録再生装置に実装される。
【００２３】
本実施形態の光ピックアップ装置１によって情報の記録又は再生が行われる情報記録媒体５は、例えばＢｌｕ−ｒａｙ規格又はＨＤ−ＤＶＤ（High Definition Digital Versatile Disk）規格の光ディスク(第１光ディスク)、ＣＤ（Compact Disk）規格の光ディスク(第２光ディスク)、ＤＶＤ（Digital Versatile Disk）規格の光ディスク(第３光ディスク)である。
【００２４】
図１乃至図３に本実施形態において説明する光ディスクの信号再生もしくは信号記録に用いられる光ピックアップ装置１の光学系の構成を示している。光ピックアップ装置１の光学系は、第１光ディスクについての光学系である第１光学系と、第２光ディスクと第３光ディスクについての光学系である第２光学系とを有する。このうち第１光学系は、例えばＢｌｕ−ｒａｙ規格又はＨＤ−ＤＶＤ規格の光ディスクの記録再生のための光学系を構成し、第２光学系は、例えばＣＤ規格やＤＶＤ規格の光ディスクの記録再生のための光学系を構成している。図１に示す矢線Ｘは、情報記録媒体５の径方向（ラジアル方向）を示している。＋Ｘの方向に情報記録媒体５の回転中心が存在する。
【００２５】
まず第１光学系について説明する。第１光学系は、第１レーザー光放射器１１、第１回折格子１２、第１ビームスプリッタ１３、第１反射ミラー１４、第１コリメートレンズ１５、第１立ち上げミラー１６、第１の１／４波長板１７、第１対物レンズ１８、第１センサーレンズ１９、及び第１光検出器２０を含んで構成されている。
【００２６】
第１レーザー光放射器１１は、第１波長（例えば４０５ｎｍの青色光）の第１レーザー光を放射する。第１レーザー光放射器１１は、例えば半導体レーザー等の発光素子を用いて構成される。
【００２７】
第１回折格子１２には、第１レーザー光放射器１１から放射される第１レーザー光が入射する。第１回折格子１２は、第１レーザー光を０次光、＋１次回折光、及び−１次回折光に分離する回折格子、及び、直線偏光光である第１レーザー光の偏光方向を所定の方向に変換する１／２波長板を構成要素とする。
【００２８】
第１ビームスプリッタ１３は、第１回折格子１２から入射する第１レーザー光を反射し、一方、第１反射ミラー１４から入射する戻り光は透過する。第１反射ミラー１４は、第１ビームスプリッタ１３から入射する第１レーザー光を第１コリメートレンズ１５の方向に反射する。
【００２９】
第１コリメートレンズ１５は、第１反射ミラー１４から入射する第１レーザー光を平行光に変換する。第１コリメートレンズ１５によって変換された第１レーザー光（平行光）は第１立ち上げミラー１６に入射する。第１立ち上げミラー１６は、第１コリメートレンズ１５から入射する第１レーザー光を光ディスクの記録面に垂直な方向に反射する。
【００３０】
図２に示すように、第１立ち上げミラー１６によって光ディスクの記録面に垂直な方向に反射された第１レーザー光は、第１の１／４波長板１７に入射する。第１レーザー光は、第１の１／４波長板１７によって直線偏光光（Ｐ方向又はＳ方向）から円偏光光に変換される。
【００３１】
第１の１／４波長板１７を透過した第１レーザー光（円偏光光）は、第１対物レンズ１８に入射する。第１対物レンズ１８は、入射する第１レーザー光（円偏光光）を光ディスクの信号記録層に集束させる。
【００３２】
以上の構成からなる第１光学系において、第１対物レンズ１８によって集束されて光ディスクの信号記録層に入射された第１レーザー光の戻り光は、第１対物レンズ１８によって平行光に変換されて第１の１／４波長板１７に入射し、第１の１／４波長板１７によって円偏光光から直線偏光光（Ｐ方向又はＳ方向（第１立ち上げミラー１６から入射した時と逆方向））に変換される。直線偏光光となった戻り光は、第１立ち上げミラー１６、第１コリメートレンズ１５、第１反射ミラー１４を経由して第１ビームスプリッタ１３に入射する。
【００３３】
第１ビームスプリッタ１３に入射した戻り光は、第１ビームスプリッタ１３を透過して第１センサーレンズ１９を透過し、第１光検出器２０に入射する。第１センサーレンズ１９は、戻り光を第１光検出器２０上に収束させるとともに、戻り光に非点収差を発生させてフォーカスエラー信号を生成する。第１センサーレンズ１９の入射面側又は出射面側には、例えばシリンドリカル面、平面、凹曲面、又は凸曲面が形成されている。
【００３４】
第１光検出器２０は、複数に分割（例えば第１回折格子１２により３分割された各レーザー光の各受光領域がそれぞれ４分割）された光検出領域を有する。第２光検出器４０は、例えばフォトダイオード等の受光素子を用いて構成されている。尚、第１光検出器２０によって検出された信号に基づく信号再生動作や信号記録動作、第１光検出器２０によって検出された信号の処理方法、ＤＰＰ（Differential Push Pull）等によるトラッキング誤差検出方法、非点収差法等によるフォーカス誤差検出方法等についてはいずれも周知であるので詳細は省略する。
【００３５】
次に第２光学系について説明する。第２光学系には、第２レーザー光放射器３１、第２回折格子３２、第２の１／４波長板３３、第２ビームスプリッタ３４、第３の１／４波長板３５、第２コリメートレンズ３６、第２立ち上げミラー３７、第２対物レンズ３８、第２センサーレンズ３９、及び第２光検出器４０を含んで構成されている。
【００３６】
第２レーザー光放射器３１は、第２波長（例えば７８０ｎｍの赤外光）の第２レーザー光、及び第３波長（例えば６５０ｎｍの赤色光）の第３レーザー光を放射する。第２レーザー光放射器３１は、例えば２波長レーザーダイオード等の半導体レーザー（発光素子）を用いて構成される。
【００３７】
第２回折格子３２には、第２レーザー光放射器３１から放射される第２レーザー光又は第３レーザー光が入射する。第２回折格子３２は、入射するレーザー光を０次光、＋１次回折光及び−１次回折光に分離する回折格子、及び、直線偏光光として入射する第２レーザー光又は第３レーザー光の偏光方向を所定の方向に変換する１／２波長板を構成要素とする。
【００３８】
第２の１／４波長板３３には、第２回折格子３２を通過した第２レーザー光又は第３レーザー光が入射する。第２の１／４波長板３３は、入射する第２レーザー光又は第３レーザー光を直線偏光光（Ｐ方向又はＳ方向）から円偏光光に変換する。
【００３９】
第２ビームスプリッタ３４は、第２の１／４波長板３３から入射する第２レーザー光又は第３レーザー光を反射し、一方、第３の１／４波長板３５から入射する戻り光は透過する。
【００４０】
第３の１／４波長板３５には、第２ビームスプリッタ３４で反射した第２レーザー光又は第３レーザー光が入射する。第３の１／４波長板３５は、入射するレーザー光を直線偏光光（Ｐ方向又はＳ方向）から円偏光光に変換する。尚、後述するように第３の１／４波長板３５は、第２コリメートレンズ３６の一方の面に設けられている。
【００４１】
第２コリメートレンズ３６は、第２ビームスプリッタ３４で反射された後、第３の１／４波長板３５を透過して入射する第２レーザー光又は第３レーザー光を平行光に変換し、第２立ち上げミラー３７に入射させる。
【００４２】
第２立ち上げミラー３７は、入射する第２レーザー光又は第３レーザー光を光ディスクの記録面に垂直な方向に反射する。図３に示すように、第２立ち上げミラー３７で反射された第２レーザー光又は第３レーザー光は第２対物レンズ３８に入射する。第２対物レンズ３８は、入射する第２レーザー光又は第３レーザー光を光ディスクの信号記録層に集束させる。
【００４３】
以上の構成からなる第２光学系において、第２対物レンズ３８によって集束されて光ディスクの信号記録層に入射された第２レーザー光又は第３レーザー光の戻り光は、第２対物レンズ３８によって平行光に変換された後、第２立ち上げミラー３７、第２コリメートレンズ３６、第３の１／４波長板３５を経由して第２ビームスプリッタ３４に入射する。そして第２ビームスプリッタ３４に入射した戻り光は、第２ビームスプリッタ３４を透過して第２センサーレンズ３９を透過し、最終的に第２光検出器４０に入射する。
【００４４】
第２センサーレンズ３９は、戻り光を第２光検出器４０上に収束させるとともに、戻り光に非点収差を発生させてフォーカスエラー信号を生成する。第２センサーレンズ３９の入射面側又は出射面側には、例えばシリンドリカル面、平面、凹曲面、又は凸曲面が形成されている。
【００４５】
第２光検出器４０は、複数に分割（例えば第１回折格子１２により３分割された各レーザー光の各受光領域がそれぞれ４分割）された光検出領域を有する。第２光検出器４０は、例えばフォトダイオード等の受光素子を用いて構成される。尚、第２光検出器４０によって検出された信号に基づく信号再生動作や信号記録動作、第２光検出器４０によって検出された信号の処理方法、ＤＰＰ（Differential Push Pull）等によるトラッキング誤差検出方法、非点収差法等によるフォーカス誤差検出方法等についてはいずれも周知であるので詳細は省略する。
【００４６】
図４は以上の構成からなる光学系を金属製や樹脂等の素材からなるハウジング５０に実装した状態を示す斜視図である。同図において矢線Ｘは、情報記録媒体５の径方向（ラジアル方向）を示している。＋Ｘ方向に情報記録媒体５の回転中心が存在する。
【００４７】
同図に示すように、光ピックアップ装置１の光学系の各構成要素は、これらが図１乃至図３に示した位置関係となるように、ハウジング５０の夫々の実装位置に設けられている。光学系の各構成要素は、ハウジング５０内に設けられている凸部や仕切り板等に接着もしくは嵌合されることにより、ハウジング５０に設けられている。
【００４８】
同図に吹き出しで示しているように、第２コリメートレンズ３６と第３の１／４波長板３５とは一体化されている。また同図に示すように、ハウジング５０の第２コリメートレンズ３６の取り付け位置には、第２コリメートレンズ３６の外周形状に合致する形状に成形された取り付け部５１が設けられている。第２コリメートレンズ３６（及びこれに一体化された第３の１／４波長板３５）のハウジング５０への実装は、第２コリメートレンズ３６の周囲、もしくは取り付け部５１の第２コリメートレンズ３６の外周が接触する部位に接着剤を塗布するか、もしくは、第２コリメートレンズ３６を取り付け部５１に嵌合することにより行われる。
【００４９】
図５は以上に説明した光ピックアップ装置１を用いて構成される光ディスク装置５００の一例を示すブロック図である。同図に示すように、この光ディスク装置５００は、前述した光ピックアップ装置１の構成に加えて、スピンドルモータ５０２、モーター駆動回路５０３、レーザードライバ５０４、アクセス機構５０５、変調回路５０６、増幅回路５０７、復調回路５０８、フォーカス制御回路５０９、トラッキング制御回路５１０、チルト制御回路５１１、システム制御装置５１２、及び外部装置５１３を備えている。
【００５０】
スピンドルモータ５０２は、情報記録媒体５を回転させる。モーター駆動回路５０３は、システム制御装置５１２から送られてくる制御信号に応じてスピンドルモータ５０２の回転を制御する。
【００５１】
アクセス機構５０５は、システム制御装置５１２から送られてくる制御信号に応じて光ピックアップ装置１を情報記録媒体５の径方向（ラジアル方向）に移動させる。
【００５２】
レーザードライバ５０４は、変調回路５０６から入力される信号に応じて第１レーザー光放射器１１及び第２レーザー光放射器３１によるレーザー光の放射を制御する。変調回路５０６は、システム制御装置５１２から入力される、情報記録媒体５に記録するデータを記録用のパルス信号に変調する。情報記録媒体５に記録する上記データは、例えばシステム制御装置５１２を介してパーソナルコンピュータ等の外部装置５１３から随時供給される。
【００５３】
増幅回路５０７は、光ピックアップ装置１の第１光検出器２０又は第２光検出器４０から出力される電気信号に含まれているＲＦ信号（RF:Radio Frequency）を増幅し、復調回路５０８に出力する。復調回路５０８は、増幅回路５０７から入力されるＲＦ信号を復調してシステム制御装置５１２に出力する。システム制御装置５１２は、復調回路５０８から入力される復調信号に基づくデータ信号を外部装置５１３に出力する。
【００５４】
フォーカス制御回路５０９、トラッキング制御回路５１０、及びチルト制御回路５１１は、第１対物レンズ１８及び第２対物レンズ３８の駆動制御を行う。
【００５５】
このうちフォーカス制御回路５０９は、光ピックアップ装置１の第１光検出器２０又は第２光検出器４０から出力される電気信号に含まれるフォーカスエラー信号を検出し、検出したフォーカスエラー信号に基づき第１対物レンズ１８及び第２対物レンズ３８のフォーカス制御を行う。
【００５６】
トラッキング制御回路５１０は、光ピックアップ装置１の第１光検出器２０又は第２光検出器４０から出力される電気信号に含まれるトラッキングエラー信号を検出し、検出したトラッキングエラー信号に基づき第１対物レンズ１８及び第２対物レンズ３８のトラッキング制御を行う。
【００５７】
チルト制御回路５１１は、光ピックアップ装置１の第１光検出器２０又は第２光検出器４０から出力される電気信号に含まれるチルトエラー信号を検出し、検出したチルトエラー信号に基づき第１対物レンズ１８及び第２対物レンズ３８のチルト制御を行う。
【００５８】
図６は光ピックアップ装置１の第１対物レンズ１８及び第２対物レンズ３８周辺の構造を示す斜視図である。同図に示す構造は、図４に示したハウジング５０の背面側に設けられる。同図に示すように、第１対物レンズ１８及び第２対物レンズ３８は、一つのレンズホルダ６０の所定位置に設けられている。レンズホルダ６０及びその周囲には、各種コイル６０１（フォーカシングコイル、トラッキングコイル、チルトコイル）、各コイル６０１に電流を供給するための機構（図示せず）、及び、各コイル６０１に磁場を供給する磁石６０２などが配置されている。
【００５９】
図７Ａ及び図７Ｂに、第２コリメートレンズ３６及びこれに接合された第３の１／４波長板３５の構成を示している。図７Ａは平面図であり、図７Ｂは、図７Ａの矢線Ｙの方向から第２コリメートレンズ３６及びこれに接合された第３の１／４波長板３５を眺めた側面図である。
【００６０】
第２コリメートレンズ３６は、樹脂やガラス等の素材からなる平凸レンズである。第２コリメートレンズ３６の平面側３６１の周縁には、第２コリメートレンズ３６の光軸方向に立設するフランジ３６５が形成されている。
【００６１】
第３の１／４波長板３５は、樹脂製の薄板状であり、例えばフィルムタイプ（例えば厚さ７５〜９０μｍ）のものである。第３の１／４波長板３５は、第２コリメートレンズ３６の平面側３６１に接合されている。
【００６２】
尚、このように、第３の１／４波長板３５は、第２コリメートレンズ３６を通るレーザー光の拡がりの少ない第２コリメートレンズ３６の平面側３６１（往路上のレーザー光の入射側）に接合されるので、第３の１／４波長板３５として面積の小さなものを選択することができ、製造コストを下げることができる。
【００６３】
図７Ｃに示すように、本実施形態で示す第３の１／４波長板３５の平面形状は略正方形である。第３の１／４波長板３５は、その角部を接着剤３６９でポッティングすることにより第２コリメートレンズ３６に接合される。尚、第３の１／４波長板３５の平面形状は同図に示す形状に限定されない。
【００６４】
第２コリメートレンズ３６のフランジ３６５には、第３の１／４波長板３５を第２コリメートレンズ３６に接合する際に用いる接着剤３６９が充填される窪み（以下、接着剤溜まり３６７と称する。）が複数形成されている。接着剤溜まり３６７は、いずれもフランジ３６５を第２コリメートレンズ３６の光軸方向に立設する略円柱状であり、第３の１／４波長板３５の全ての角部が丁度収容される位置に設けられている。接着剤溜まり３６７は、いずれも第２コリメートレンズ３６の平面側３６１に開口している。
【００６５】
市販のコリメートレンズはこのような形状のフランジを有していることが多いが、そのようなフランジ３６５を利用すれば、第２コリメートレンズ３６の光学系に影響を与えることなく、接着剤溜まり３６７を容易に設けることができる。但し、接着剤溜まり３６７は必ずしもフランジ３６５を利用して設ける必要はなく、フランジ３６５を有しないコリメートレンズであっても同様の機能を有する接着剤溜まり３６７を設けることができる。
【００６６】
第３の１／４波長板３５の第２コリメートレンズ３６への接合は、第３の１／４波長板３５の各角部が、夫々に対応する接着剤溜まり３６７にかかるように（接着剤溜まり３６７に一部が収容されるように）、第３の１／４波長板３５を第２コリメートレンズ３６の平面側３６１に重ね合わせ、その状態で各接着剤溜まり３６７に接着剤３６９を充填してポッティングすることにより行う。
【００６７】
このように、本実施形態の光ピックアップ装置１にあっては、第３の１／４波長板３５をポッティングにより第２コリメートレンズ３６に接合する際に用いる接着剤３６９が保持される接着剤溜まり３６７を設けているので、接合時に接着剤３６９が流出しにくく、例えば作業性を重視し粘性が低く流動性の高い接着剤３６９を用いることができる。
【００６８】
また接着剤溜まり３６７は、いずれも第２コリメートレンズ３６の平面側３６１に開口しているので、第３の１／４波長板３５をポッティングにより第２コリメートレンズ３６に接合する際、第３の１／４波長板３５を第２コリメートレンズ３６に容易に重ね合わせることができる。このため、光ピックアップ装置１の製造効率を向上させることができる。
【００６９】
尚、接着剤溜まり３６７を設ける位置やその形状は、図７Ａ、図７Ｂに示したものに限られない。接着剤溜まり３６７を設ける位置やその形状は、第２コリメートレンズ３６の大きさや特性、第３の１／４波長板３５の形状、フランジ３６５の形状、接着剤３６９の種類や粘度、作業性等を考慮して、最適なものを選択することができる。
【００７０】
但し、接着剤溜まり３６７は、第２コリメートレンズ３６の光学的な性質に影響を与えないように設ける必要がある。例えば第２コリメートレンズ３６の有効範囲（図７Ａの破線で示す領域（有効範囲３６８））には設けないようにする。
【００７１】
第２コリメートレンズ３６への第３の１／４波長板３５の取付けは、次のようにして行う。まず第３の１／４波長板３５の角部と接着剤溜まり３６７との位置を合わせつつ、第３の１／４波長板３５を第２コリメートレンズ３６の平面に重ね合わせる。次に接着剤溜まり３６７に接着剤３６９を充填し、第３の１／４波長板３５を第２コリメートレンズ３６にポッティングにより接合する。
【００７２】
このように、第２コリメートレンズ３６への第３の１／４波長板３５の取り付けは、第３の１／４波長板３５を第２コリメートレンズ３６の平面に重ね合わせ、その後に第３の１／４波長板３５の周囲（第２コリメートレンズ３６の周囲）に設けられている接着剤溜まり３６７に接着剤３６９を充填してポッティング接合することにより行われる。
【００７３】
上記ポッティングに用いる接着剤３６９としては、例えば作業性を低下させないような中程度の粘度（例えば１２，０００±３，０００（ｍｐａ・ｓ））のものを用いることができる。この程度の粘度であれば、接着時に生じる応力が小さく、第３の１／４波長板３５に歪みを生じさせるようなことがなく、第３の１／４波長板３５を精度よく第２コリメートレンズ３６に接合することができる。
【００７４】
以上に説明したように、本実施形態の光ピックアップ装置１においては、第３の１／４波長板３５を第２コリメートレンズ３６の平面に重ね合わせ、その後に第３の１／４波長板３５を接着剤でポッティングすることにより、第２コリメートレンズ３６に接合するようにしているので、第２コリメートレンズ３６の平面に第３の１／４波長板３５を歪みなく重ね合わせている限り第３の１／４波長板３５に歪み等が生じることがなく、第３の１／４波長板３５を精度よくハウジング５０に実装することができ、非点収差等が発生することもない。
【００７５】
また本実施形態の光ピックアップ装置１においては、第３の１／４波長板３５が、第２コリメートレンズ３６の平面側に重ね合わせてその周囲を接着剤３６９でポッティングすることにより、第２コリメートレンズ３６に接合されている。このため、第２コリメートレンズ３６をハウジング５０に取り付けることにより、第３の１／４波長板３５についても同時にハウジング５０に取り付けることができる。このため、光ピックアップ装置１の製造工程を簡素化することができる。
【００７６】
また第３の１／４波長板３５はレーザー光の拡がりの少ない、第２コリメートレンズ３６の平面側に接合するようにしているので、第３の１／４波長板３５として面積の小さなものを選択することが可能であり、光ピックアップ装置１の製造コストを下げることができる。
【００７７】
以上、実施の形態について説明したが、以上の説明は本発明の理解を容易にするためのものであり、本発明を限定するものではない。本発明は、その趣旨を逸脱することなく、変更、改良され得ると共に、本発明にはその等価物が含まれることは勿論である。
【００７８】
例えば、以上の説明は、第２コリメートレンズ３６と第３の１／４波長板３５とを一体化する場合であったが、レンズと波長板の組み合わせは必ずしも上記の組み合わせに限定されない。例えばレンズと１／２波長板との組み合わせであってもよい。
【符号の説明】
【００７９】
１  光ピックアップ装置
５  情報記録媒体
１１  第１レーザー光放射器
１２  第１回折格子
１３  第１ビームスプリッタ
１４  第１反射ミラー
１５  第１コリメートレンズ
１６  第１立ち上げミラー
１７  第１の１／４波長板
１８  第１対物レンズ
１９  第１センサーレンズ
２０  第１光検出器
３１  第２レーザー光放射器
３２  第２回折格子
３３  第２の１／４波長板
３４  第２ビームスプリッタ
３５  第３の１／４波長板
３６  第２コリメートレンズ
３６１  平面側
３６２  凸面側
３６５  フランジ
３６８  有効範囲
３６７  接着剤溜まり
３７  第２立ち上げミラー
３８  第２対物レンズ
３９  第２センサーレンズ
４０  第２光検出器
５０  ハウジング
５１  取り付け部
【図１】
2011034643.tif 000003
【図２】
2011034643.tif 000004
【図３】
2011034643.tif 000005
【図４】
2011034643.tif 000006
【図５】
2011034643.tif 000007
【図６】
2011034643.tif 000008
【図７Ａ】
2011034643.tif 000009
【図７Ｂ】
2011034643.tif 000010
【図７Ｃ】
2011034643.tif 000011
【図８】
2011034643.tif 000012